(57)【要約】【課題】空調の省エネルギー化を図ることが可能になる、浮体構造物を提供すること。【解決手段】浮体構造物１は、浮体部１０と、上方空間部２を覆うための屋根部２０と、下方空間部３及び上方空間部２にわたって設けられ、且つ浮体部１０と接続された環状の循環配管３０と、を備え、循環配管３０は、上方側配管４１及び下方側配管４２を備え、上方側配管４１が屋根部２０を支持して、当該支持に伴って上方側配管４１に生じた応力を下方側配管４２に負荷することが可能となるように、上方側配管４１及び下方側配管４２を構成し、当該浮体構造物１を水上に設置した設置状態において、上方側配管４１内の流体と上方空間部２内の空気との熱交換が可能となり、且つ下方側配管４２内の流体と下方空間部３内の水との熱交換が可能となるように、上方側配管４１及び下方側配管４２を構成した。【選択図】図１
2020168919.tif 000002
【特許請求の範囲】
【請求項１】
浮体構造物であって、
浮体部と、
前記浮体部よりも上方に位置する上方空間部を覆うための屋根部と、
前記浮体部よりも下方に位置する下方空間部及び前記上方空間部にわたって設けられ、且つ前記浮体部と接続された環状の循環配管であり、当該循環配管内の流体を循環させることが可能な循環配管と、を備え、
前記循環配管は、
前記上方空間部に位置する上方側配管と、前記下方空間部に位置する下方側配管と、を備え、
前記上方側配管が前記屋根部を支持して、当該支持に伴って前記上方側配管に生じた応力を前記下方側配管に負荷することが可能となるように、前記上方側配管及び前記下方側配管を構成し、
当該浮体構造物を水上に設置した設置状態において、前記上方側配管内の前記流体と前記上方空間部内の空気との熱交換が可能となり、且つ前記下方側配管内の前記流体と前記下方空間部内の水との熱交換が可能となるように、前記上方側配管及び前記下方側配管を構成した、
浮体構造物。
【請求項２】
前記下方側配管の剛性と前記上方側配管の剛性とを、略同一とした、
請求項１に記載の浮体構造物。
【請求項３】
前記浮体部と前記循環配管とを、ピン接合構造により接続した、
請求項１又は２に記載の浮体構造物。
【発明の詳細な説明】
【技術分野】
【０００１】
本発明は、浮体構造物に関する。
【背景技術】
【０００２】
従来から、水上で浮遊可能な浮体構造物であって、野球等のイベントに利用される大型の浮体構造物が提案されている。このような浮体構造物は、例えば、デッキを有する浮体と、浮体を繋留するための繋留装置と、デッキの上面に設けられたエアドームとを備えている（例えば、特許文献１参照）。
【先行技術文献】
【特許文献】
【０００３】
【特許文献１】特開平５−６９８８３号公報
【発明の概要】
【発明が解決しようとする課題】
【０００４】
ところで、近年ではエアドーム内の空調（温度）を、年間を通して安定的に管理したいとのニーズがある。しかしながら、上記従来の浮体構造物においては、上述したように、デッキの上面にエアドームが設けられているに過ぎないので、電気空調設備を用いてエアドーム内の空調を管理することになることから、例えば、大型の浮体構造物の場合には空調に要する電気エネルギーが多大になるおそれがあった。よって、空調の省エネルギー化を図る観点からは改善余地があった。
【０００５】
本発明は、上記に鑑みてなされたものであって、空調の省エネルギー化を図ることが可能になる、浮体構造物を提供することを目的とする。
【課題を解決するための手段】
【０００６】
上述した課題を解決し、目的を達成するために、請求項１に記載の浮体構造物は、浮体構造物であって、浮体部と、前記浮体部よりも上方に位置する上方空間部を覆うための屋根部と、前記浮体部よりも下方に位置する下方空間部及び前記上方空間部にわたって設けられ、且つ前記浮体部と接続された環状の循環配管であり、当該循環配管内の流体を循環させることが可能な循環配管と、を備え、前記循環配管は、前記上方空間部に位置する上方側配管と、前記下方空間部に位置する下方側配管と、を備え、前記上方側配管が前記屋根部を支持して、当該支持に伴って前記上方側配管に生じた応力を前記下方側配管に負荷することが可能となるように、前記上方側配管及び前記下方側配管を構成し、当該浮体構造物を水上に設置した設置状態において、前記上方側配管内の前記流体と前記上方空間部内の空気との熱交換が可能となり、且つ前記下方側配管内の前記流体と前記下方空間部内の水との熱交換が可能となるように、前記上方側配管及び前記下方側配管を構成した。
【０００７】
請求項２に記載の浮体構造物は、請求項１に記載の浮体構造物において、前記下方側配管の剛性と前記上方側配管の剛性とを、略同一とした。
【０００８】
請求項３に記載の浮体構造物は、請求項１又は２に記載の浮体構造物において、前記浮体部と前記循環配管とを、ピン接合構造により接続した。
【発明の効果】
【０００９】
請求項１に記載の浮体構造物によれば、上方側配管が屋根部を支持して、当該支持に伴って上方側配管に生じた応力を下方側配管に負荷することが可能となるように、上方側配管及び下方側配管を構成するので、上方側配管に生じた応力（例えば、屋根部から上方側配管に加えられたスラスト力によって生じた応力）を下方側配管に負荷することができる。よって、下方側配管を備えない場合に比べて上方側配管の応力負荷を軽減でき、浮体構造物の構造安定性を高めることができる。また、設置状態において、上方側配管内の流体と上方空間部内の空気との熱交換が可能となり、且つ下方側配管内の流体と下方空間部内の水との熱交換が可能となるように、上方側配管及び下方側配管を構成したので、上方側配管内の流体と上方空間部内の空気との熱交換及び下方側配管内の流体と下方空間部内の水との熱交換を行うことができる。よって、従来技術（デッキの上面にエアドームを設けた技術）に比べて、下方空間部内の水を利用して上方空間部の冷却又は加温を行うことができ、浮体構造物の空調の省エネルギー化を図ることが可能となる。
【００１０】
請求項２に記載の浮体構造物によれば、下方側配管の剛性と上方側配管の剛性とを、略同一としたので、下方側配管の剛性が上方側配管の剛性よりも小さい場合に比べて、下方側配管が上方側配管に生じた応力を確実に負荷することができ、浮体構造物の構造安定性を高めやすくなる。また、下方側配管の剛性と上方側配管の剛性とが異なる場合に比べて、循環配管を製造しやすくなることから、循環配管の製造性を高めることができる。
【００１１】
請求項３に記載の浮体構造物によれば、浮体部と循環配管とを、ピン接合構造により接続したので、循環配管と浮体部とを剛接合構造により接続する場合に比べて、浮体部又は循環配管に加わる応力負荷を軽減でき、浮体構造物の構造安定性を高めやすくなる。
【図面の簡単な説明】
【００１２】
【図１】本発明の実施の形態に係る浮体構造物の概要を示す斜視図である。
【図２】図１のＡ−Ａ矢視断面図である（一部図示省略）。
【図３】浮体部を示す斜視図である。
【図４】図２の送出部の周辺領域を示す図である（一部図示省略）。
【図５】浮体構造物の変形例を示す斜視図である。
【図６】浮体構造物の変形例を示す斜視図である。
【発明を実施するための形態】
【００１３】
以下に添付図面を参照して、この発明に係る浮体構造物の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１４】
〔Ｉ〕実施の形態の基本的概念
まず、実施の形態の基本的概念について説明する。実施の形態は、概略的に、水上に設けられる浮体構造物に関する。この浮体構造物の適用対象については任意であるが、例えば、事業施設（一例として、オフィスビル）、商業施設、イベント施設（一例として、コンサート施設、スポーツ施設）、又は住宅施設等を含む支持対象を支持可能な構造物に適用することができるが、実施の形態では、複数の支持対象を支持可能な大型の構造物に適用するものとして説明する。
【００１５】
〔ＩＩ〕実施の形態の具体的内容
次に、実施の形態の具体的内容について説明する。
【００１６】
（構成）
最初に、実施の形態に係る浮体構造物の構成について説明する。図１は、本発明の実施の形態に係る浮体構造物の概要を示す斜視図である。図２は、図１のＡ−Ａ矢視断面図である（一部図示省略）。以下の説明では、図１のＸ方向を浮体構造物の左右方向（−Ｘ方向を浮体構造物の左方向、＋Ｘ方向を浮体構造物の右方向）、図１のＹ方向を浮体構造物の前後方向（＋Ｙ方向を浮体構造物の前方向、−Ｙ方向を浮体構造物の後方向）、図１のＺ方向を浮体構造物の上下方向（＋Ｚ方向を浮体構造物の上方向、−Ｚ方向を浮体構造物の下方向）と称する。
【００１７】
浮体構造物１は、複数の支持対象ＳＴを支持しながら、水上に浮遊可能な構造物である。ここで、「水上」とは、水面Ｗ上又はその近傍位置を意味し、例えば、海上、湖上、又は川上等が該当する。この浮体構造物１は、図１、図２に示すように、水上に設けられており、浮体部１０、屋根部２０（図１の想像線で示す部分）、及び循環配管３０ａ、３０ｂを備えている。なお、以下では、循環配管３０ａ、３０ｂを特に区別する必要のないときは、単に「循環配管３０」と総称する。
【００１８】
（構成−浮体部）
まず、浮体部１０の構成について説明する。図３は、浮体部１０を示す斜視図である。浮体部１０は、当該浮遊体の少なくとも一部が水上に浮遊可能なものである。この浮体部１０は、例えば公知の浮体構造体（一例として、ポンツーン型の浮体構造体）を用いて構成されており、図１、図２に示すように、水上に設けられており、図示しない繋留部材を介して図示しない繋留対象（例えば、護岸）に繋留されている。また、この浮体部１０は、図３に示すように、上側床部１１、下側床部１２、及び複数の補強リブ部１３を備えている。
【００１９】
（構成−浮体部−上側床部、下側床部）
上側床部１１及び下側床部１２は、浮体部１０の基本構造体である。これら上側床部１１及び下側床部１２は、略板状体（又は略ブロック状体）にてそれぞれ形成されており、水上において略水平にそれぞれ配置されている。具体的には、図１、図２に示すように、上側床部１１が下側床部１２よりも上方に位置し、且つ上側床部１１の下面が下側床部１２の上面と対向するように、相互に間隔を隔てて配置されている。
【００２０】
また、上側床部１１及び下側床部１２の具体的な形状及び大きさについては、水上に浮遊可能であり、且つ支持対象ＳＴを支持することができる限り任意に設定することができるが、実施の形態では以下の通りに設定している。すなわち、上側床部１１及び下側床部１２の平面形状については、それぞれ略同一の形状に設定しており、具体的には、円形状に設定している（ただし、これに限らず、例えば、楕円形状、矩形状の如き多角形状等に設定してもよい）。また、上側床部１１及び下側床部１２の大きさ（具体的には、直径及び厚さ）については、それぞれ略同一の大きさに設定している。
【００２１】
（構成−浮体部−補強リブ部）
複数の補強リブ部１３は、上側床部１１及び下側床部１２を補強するための補強手段である。これら複数の補強リブ部１３は、矩形状の略板状体にてそれぞれ形成されており、上側床部１１と下側床部１２との相互間において垂直にそれぞれ設けられている。具体的には、図１、図３に示すように、上側床部１１（又は下側床部１２）の中央付近から放射状にそれぞれ配置され（実施の形態では、８つ設けられている）、上側床部１１及び下側床部１２に対して溶接又は固定具等によってそれぞれ接続されている。
【００２２】
また、複数の補強リブ部１３の具体的な大きさ（具体的には、幅（水平方向の長さ）及び高さ）については、上側床部１１及び下側床部１２を補強することができる限り任意に設定することができるが、実施の形態では、それぞれ略同一に設定している。
【００２３】
（構成−浮体部−その他）
また、浮体部１０の材質については任意であるが、所望の耐力を有することができ、且つ施工コストを抑制できる材質を用いて構成することが望ましく、実施の形態では、防錆処理された鋼材を用いて構成している。ただし、これに限らず、例えば、ステンレス鋼材、樹脂材（一例として、強化プラスチック）、木材等を用いて構成されてもよい。
【００２４】
（構成−屋根部）
次に、屋根部２０の構成について説明する。屋根部２０は、浮体部１０よりも上方に位置する空間部２（以下、「上方空間部２」と称する）を覆うためのものである。この屋根部２０は、図１、図２に示すように、浮体部１０の上面に設けられており、屋根カバー部２１及び屋根フレーム部（図示省略）を備えている。
【００２５】
（構成−屋根部−屋根カバー部）
屋根カバー部２１は、上方空間部２を覆うためのカバー手段である。この屋根カバー部２１は、例えば公知のカバー部材（一例として、図示しない出入口を有し、且つ透光性（上方空間部２の明るさが所望の明るさにできる程度の透光性）を有する樹脂製のカバー部材）を用いて構成されている。また、この屋根カバー部２１は、図１、図２に示すように、上方に向けて突出する略半球状に形成されており、上方空間部２の略全体を覆うように設けられている。
【００２６】
（構成−屋根部−屋根フレーム部）
屋根フレーム部は、屋根部２０の剛性を主として担うと共に、屋根カバー部２１を支持する支持手段である。この屋根フレーム部は、例えば、公知のフレーム材（一例として、棒状の鋼製のフレーム材）を用いて構成されており、上方空間部２内（又は上方空間部２外）に複数設けられている。具体的には、各屋根フレーム部が屋根カバー部２１と当接するように、屋根カバー部２１の中央付近から放射状にそれぞれ配置されており、隣接する屋根フレーム部又は浮体部１０に対して固定具又は溶接等によって接続されている。
【００２７】
（構成−循環配管）
次に、循環配管３０ａ、３０ｂの構成について説明する。循環配管３０ａ、３０ｂは、当該循環配管３０内（具体的には、後述の循環配管本体４０内）の後述する流体Ｆを循環させることが可能なものであり、図１、図２に示すように、循環配管本体４０及び送出部５０を備えている。
【００２８】
（構成−循環配管−循環配管本体）
循環配管本体４０は、循環配管３０の基本構造体である。この循環配管本体４０は、環状の管状体（実施の形態では、略円環状の円管状体）にて形成されており、具体的には、図１、図２に示すように、上方空間部２側に位置する上方側配管４１と、下方空間部３側に位置する下方側配管４２とを備えて構成されている。また、この循環配管本体４０は、浮体部１０よりも下方に位置する空間部３（以下、「下方空間部３」と称する）及び上方空間部２にわたって設けられている。具体的には、循環配管３０ａの循環配管本体４０は、浮体部１０を囲みながら左右方向に沿うように配置されており、循環配管３０ｂの循環配管本体４０は、浮体部１０を囲みながら前後方向に沿うように配置されている。なお、実施の形態では、循環配管本体４０の内部全体には、流体Ｆが充填されているものとして説明する。ここで、「流体Ｆ」とは、流動性を有し、且つ熱交換することが可能な媒体を意味し、例えば空気や特殊ガスの如き気体、水や特殊液の如き液体等を含む概念である。
【００２９】
また、上方側配管４１及び下方側配管４２の構成の特徴については任意であるが、実施の形態では以下に示す通りとなる。
【００３０】
（構成−循環配管−循環配管本体−第１の特徴）
まず、上方側配管４１及び下方側配管４２の第１の特徴については、上方側配管４１が屋根部２０（具体的には、屋根カバー部２１）を支持して、当該支持に伴って上方側配管４１に生じた応力を下方側配管４２に負荷することが可能となるように、上方側配管４１及び下方側配管４２は構成されている。
【００３１】
具体的には、上方側配管４１及び下方側配管４２の大きさについては、下方側配管４２の剛性と上方側配管４１の剛性とが略同一となるように、以下の通りに設定している。すなわち、上方側配管４１及び下方側配管４２の外径については、それぞれ略同一の大きさに設定しており、例えば、屋根カバー部２１の外径と略同一の外径に設定してもよい。また、上方側配管４１及び下方側配管４２の軸方向の長さについては、それぞれ略同一の大きさに設定しており、例えば、上側床部１１（又は下側床部１２）の円周の半分程度の長さと略同一の長さ設定してもよい。また、上方側配管４１及び下方側配管４２の厚さについては、それぞれ略同一の大きさに設定しており、例えば、屋根フレーム部の厚さと略同一の厚さに設定してもよく、又は屋根フレーム部の厚さよりも厚い（又は薄い）厚さに設定してもよい。
【００３２】
また、上方側配管４１と下方側配管４２との接続方法については、上方側配管４１と下方側配管４２とを相互に直接接続しており、例えば、上方側配管４１の軸方向の端部と下方側配管４２の軸方向の端部とを溶接等によって接続してもよい。
【００３３】
このような第１の特徴により、上方側配管４１に生じた応力（例えば、屋根部２０から上方側配管４１に加えられたスラスト力によって生じた応力）を下方側配管４２に負荷することができ、下方側配管４２を備えない場合に比べて上方側配管４１の応力負荷を軽減できる。また、下方側配管４２の剛性が上方側配管４１の剛性よりも小さい場合に比べて、下方側配管４２が上方側配管４１に生じた応力を確実に負荷することができ、浮体構造物１の構造安定性を高めやすくなる。また、下方側配管４２の剛性と上方側配管４１の剛性とが異なる場合に比べて、循環配管３０を製造しやすくなることから、循環配管３０の製造性を高めることができる。
【００３４】
（構成−循環配管−循環配管本体−第２の特徴）
さらに、上方側配管４１及び下方側配管４２の第２の特徴については、浮体構造物１を水上に設置した状態（以下、「設置状態」と称する）において、上方側配管４１内の流体Ｆと上方空間部２内の空気との熱交換が可能となり、且つ下方側配管４２内の流体Ｆと下方空間部３内の水との熱交換が可能となるように、上方側配管４１及び下方側配管４２は構成されている。
【００３５】
具体的には、上方側配管４１及び下方側配管４２は、熱伝導率が高い材質を用いてそれぞれ構成されており、例えば、鋼材を用いてそれぞれ構成されている。
【００３６】
また、上方側配管４１及び下方側配管４２は、設置状態において、上方側配管４１の略全体が水面Ｗよりも上方に位置すると共に、下方側配管４２の略全体が水面Ｗよりも下方に位置するように構成されている。例えば、上述したように、上方側配管４１及び下方側配管４２の外径、軸方向の長さ、及び厚さに設定されることで構成されてもよい。
【００３７】
このような第２の特徴により、設置状態において、上方側配管４１内の流体Ｆと上方空間部２内の空気との熱交換及び下方側配管４２内の流体Ｆと下方空間部３内の水との熱交換を行うことができ、従来技術（デッキの上面にエアドームを設けた技術）に比べて、下方空間部３内の水を利用して上方空間部２の冷却又は加温を行うことができる。
【００３８】
（構成−循環配管−送出部）
図４は、図１の送出部５０の周辺領域を示す図である（一部図示省略）。送出部５０は、循環配管本体４０内の流体Ｆを下方空間部３側又は上方空間部２側のいずか一方から他方に向けて送出する送出手段である。この送出部５０は、例えば公知の送出装置（一例として、プロペラ式の送出装置）を用いて構成されており、図２、図４に示すように、循環配管本体４０の内部に設けられている。
【００３９】
また、この送出部５０の設置方法については任意であるが、実施の形態では、図４に示すように、循環配管本体４０内における上方側配管４１と下方側配管４２との境界部又はその近傍部分に配置し、循環配管本体４０に対して固定具等によって着脱自在に接続している。このような設置により、設置状態において送出部５０の交換や修理を比較的容易に行うことができ、送出部５０のメンテナンスに要する手間を軽減しやすくなる。
【００４０】
（構成−循環配管−その他の構成）
また、循環配管３０と浮体部１０との接続方法については任意であるが、実施の形態では、循環配管３０（具体的には、循環配管本体４０）と浮体部１０とを、ピン接合構造により接続している。例えば、循環配管本体４０と浮体部１０とを、ピン接合可能なピン継手（図示省略）を介して接続してもよい。
【００４１】
このような接続により、循環配管３０と浮体部１０とを剛接合構造により接続する場合に比べて、浮体部１０又は循環配管３０に加わる応力負荷を軽減でき、浮体構造物１の構造安定性を高めやすくなる。
【００４２】
また、以上のような浮体構造物１により、浮体構造物１の構造安定性を高めることができると共に、浮体構造物１の空調の省エネルギー化を図ることができるので、浮体構造物１の使用性を高めることが可能となる。
【００４３】
（浮体構造物の作用について）
次に、浮体構造物１の作用について説明する。
【００４４】
設置状態において屋根部２０から上方側配管４１に対してスラスト力が加えられると、上方側配管４１に応力が生じるものの、上方側配管４１と下方側配管４２とが相互に直接接続されているので、当該生じた応力が下方側配管４２に負荷される。これにより、下方側配管４２を備えない場合に比べて上方側配管４１の応力負荷を軽減することが可能となる。
【００４５】
また、設置状態において送出部５０を起動させると、図２に示すように、循環配管本体４０内の流体Ｆが、送出部５０によって下方空間部３側又は上方空間部２側のいずか一方から他方に向けて送出される。そして、この流体Ｆの送出に伴って、例えば、下方側配管４２内の流体Ｆと下方空間部３内の水との熱交換が行われた後に、当該流体Ｆが上方側配管４１内に送出されて当該流体Ｆと上方空間部２内の空気との熱交換が行われる。このような熱交換により、例えば、夏場のように、下方空間部３内の水の温度が上方空間部２内の温度よりも低い場合には、下方空間部３内の水を利用して上方空間部２を冷却することが可能となる。また、冬場のように、下方空間部３内の水の温度が上方空間部２内の温度よりも高い場合には、下方空間部３内の水を利用して上方空間部２を加温することが可能となる。
【００４６】
（実施の形態の効果）
このように実施の形態によれば、上方側配管４１が屋根部２０を支持して、当該支持に伴って上方側配管４１に生じた応力を下方側配管４２に負荷することが可能となるように、上方側配管４１及び下方側配管４２を構成するので、上方側配管４１に生じた応力（例えば、屋根部２０から上方側配管４１に加えられたスラスト力によって生じた応力）を下方側配管４２に負荷することができる。よって、下方側配管４２を備えない場合に比べて上方側配管４１の応力負荷を軽減でき、浮体構造物１の構造安定性を高めることができる。また、設置状態において、上方側配管４１内の流体Ｆと上方空間部２内の空気との熱交換が可能となり、且つ下方側配管４２内の流体Ｆと下方空間部３内の水との熱交換が可能となるように、上方側配管４１及び下方側配管４２を構成したので、上方側配管４１内の流体Ｆと上方空間部２内の空気との熱交換及び下方側配管４２内の流体Ｆと下方空間部３内の水との熱交換を行うことができる。よって、従来技術（デッキの上面にエアドームを設けた技術）に比べて、下方空間部３内の水を利用して上方空間部２の冷却又は加温を行うことができ、浮体構造物１の空調の省エネルギー化を図ることが可能となる。
【００４７】
また、下方側配管４２の剛性と上方側配管４１の剛性とを、略同一としたので、下方側配管４２の剛性が上方側配管４１の剛性よりも小さい場合に比べて、下方側配管４２が上方側配管４１に生じた応力を確実に負荷することができ、浮体構造物１の構造安定性を高めやすくなる。また、下方側配管４２の剛性と上方側配管４１の剛性とが異なる場合に比べて、循環配管３０を製造しやすくなることから、循環配管３０の製造性を高めることができる。
【００４８】
また、浮体部１０と循環配管３０とを、ピン接合構造により接続したので、浮体部１０と循環配管３０とを剛接合構造により接続する場合に比べて、浮体部１０又は循環配管３０に加わる応力負荷を軽減でき、浮体構造物１の構造安定性を高めやすくなる。
【００４９】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００５０】
（解決しようとする課題や発明の効果について）
まず、発明が解決しようとする課題や発明の効果は、前記した内容に限定されるものではなく、本発明によって、前記に記載されていない課題を解決することや、前記に記載されていない効果を奏することもできる。また、記載されている課題の一部のみを解決することや、記載されている効果の一部のみを奏することがある。
【００５１】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００５２】
（浮体構造物について）
上記実施の形態では、浮体構造物１が、繋留部材を介して繋留対象に繋留されていると説明したが、これに限らず、例えば、公知の駆動手段（一例として、モータ）を備えることで自力移動可能に構成されてもよい。
【００５３】
（浮体部について）
上記実施の形態では、浮体部１０が、ポンツーン型の浮体構造体であると説明したが、これに限らず、例えば、セミサブ型の浮体構造体であってもよい。
【００５４】
また、上記実施の形態では、浮体部１０が、下側床部１２及び補強リブ部１３を備えていると説明したが、これに限らない。例えば、下側床部１２を省略してもよい。あるいは、後述する図５に示すように、下側床部１２及び補強リブ部１３を省略してもよい（すなわち、上側床部１１のみを備えてもよい）。
【００５５】
また、上記実施の形態では、補強リブ部１３の設置数が７つであると説明したが、これに限らず、例えば、７つ未満であってもよく、あるいは、８つ以上であってもよい。
【００５６】
また、上記実施の形態では、上側床部１１と下側床部１２の形状及び大きさについては、それぞれ同一の形状及び大きさに設定していると説明したが、これに限らず、例えば、それぞれ異なる形状又は大きさに設定してもよい。また、上記実施の形態では、複数の補強リブ部１３の形状及び大きさについては、それぞれ同一の形状及び大きさに設定していると説明したが、これに限らず、例えば、それぞれ異なる形状又は大きさに設定してもよい。
【００５７】
（屋根部について）
上記実施の形態では、屋根カバー部２１の形状が半球状であると説明したが、これに限らない。図５は、浮体構造物１００の変形例を示す斜視図である。例えば、図５に示すように、半円柱状体であってもよく、あるいは、直方状体であってもよい。この場合には、複数の循環配管３０は、相互に間隔を隔てて前後方向に沿って並設されてもよい。
【００５８】
また、上記実施の形態では、屋根カバー部２１が、上方空間部２の略全体を覆うように設けられていると説明したが、これに限らず、例えば、上方空間部２の一部のみを覆うように設けられてもよい。一例として、屋根カバー部２１に、上方空間部２の通気を行うための通気口が複数設けられてもよい。
【００５９】
また、上記実施の形態では、屋根カバー部２１が、透光性を有する樹脂製のカバー部材であると説明したが、これに限らず、例えば、遮光性を有する樹脂製のカバー部材、又はガラス製のカバー部材であってもよい。
【００６０】
（循環配管について）
上記実施の形態では、循環配管３０の設置数が２つであると説明したが、これに限らない。図６は、浮体構造物２００の変形例を示す斜視図である。例えば、図６に示すように、循環配管３０の設置数が３つ以上であってもよく、又は１つであってもよい。ここで、図６の浮体構造物２００においては、例えば、複数の循環配管３０の各々の循環配管本体４０の大きさについては、それぞれ異なる大きさに設定してもよい。また、複数の循環配管３０だけで屋根カバー部２１を支持できる場合には、屋根フレーム部を省略してもよい。
【００６１】
また、上記実施の形態では、循環配管本体４０は、鋼材を用いて構成されていると説明したが、これに限らない。例えば、鋼材以外の熱伝導率が高い材質を用いて構成されてもよく、一例として、アルミニウム、銅、又はこれらを組み合わせたもの等を用いて構成されてもよい。
【００６２】
また、上記実施の形態では、循環配管本体４０は、円管状体であると説明したが、これに限らず、例えば、円管状体以外の管状体（一例として、断面形状が多角形状である管状体）であってもよい。また、上記実施の形態では、循環配管本体４０は、円環状に形成されていると説明したが、これに限らず、例えば、円環状以外の環状（一例として、矩形環状）に形成されてもよい。
【００６３】
また、上記実施の形態では、下方側配管４２の剛性と上方側配管４１の剛性とが略同一であると説明したが、これに限らない。例えば、下方側配管４２及び上方側配管４１の各々の外径、軸方向の長さ、又は厚さの少なくともいずれか１つを異ならせることにより、下方側配管４２の剛性と上方側配管４１の剛性とを異ならせてもよい。
【００６４】
（送出部について）
上記実施の形態では、送出部５０がプロペラ式の送出装置であると説明したが、これに限らず、例えば、プロペラ式の送出装置以外の装置（一例として、ポンプ式の送出装置）であってもよい。
【００６５】
また、上記実施の形態では、送出部５０が、循環配管本体４０内における上方側配管４１と下方側配管４２との境界部又はその近傍部分に配置していると説明したが、これに限らず、例えば、当該境界部又はその近傍部分以外の他の部分（一例として、上方側配管４１の最上部分）に配置されてもよい。また、上記実施の形態では、送出部５０が、循環配管本体４０に対して固定具等によって着脱自在に接続されていると説明したが、これに限らず、例えば、循環配管本体４０に対して固定具等によって着脱不能に接続されてもよい。
【００６６】
（付記）
付記１の浮体構造物は、浮体構造物であって、浮体部と、前記浮体部よりも上方に位置する上方空間部を覆うための屋根部と、前記浮体部よりも下方に位置する下方空間部及び前記上方空間部にわたって設けられ、且つ前記浮体部と接続された環状の循環配管であり、当該循環配管内の流体を循環させることが可能な循環配管と、を備え、前記循環配管は、前記上方空間部に位置する上方側配管と、前記下方空間部に位置する下方側配管と、を備え、前記上方側配管が前記屋根部を支持して、当該支持に伴って前記上方側配管に生じた応力を前記下方側配管に負荷することが可能となるように、前記上方側配管及び前記下方側配管を構成し、当該浮体構造物を水上に設置した設置状態において、前記上方側配管内の前記流体と前記上方空間部内の空気との熱交換が可能となり、且つ前記下方側配管内の前記流体と前記下方空間部内の水との熱交換が可能となるように、前記上方側配管及び前記下方側配管を構成した。
【００６７】
付記２の浮体構造物は、付記１に記載の浮体構造物において、前記下方側配管の剛性と前記上方側配管の剛性とを、略同一とした。
【００６８】
付記３の浮体構造物は、付記１又は２に記載の浮体構造物において、前記浮体部と前記循環配管とを、ピン接合構造により接続した。
【００６９】
（付記の効果）
付記１に記載の浮体構造物によれば、上方側配管が屋根部を支持して、当該支持に伴って上方側配管に生じた応力を下方側配管に負荷することが可能となるように、上方側配管及び下方側配管を構成するので、上方側配管に生じた応力（例えば、屋根部から上方側配管に加えられたスラスト力によって生じた応力）を下方側配管に負荷することができる。よって、下方側配管を備えない場合に比べて上方側配管の応力負荷を軽減でき、浮体構造物の構造安定性を高めることができる。また、設置状態において、上方側配管内の流体と上方空間部内の空気との熱交換が可能となり、且つ下方側配管内の流体と下方空間部内の水との熱交換が可能となるように、上方側配管及び下方側配管を構成したので、上方側配管内の流体と上方空間部内の空気との熱交換及び下方側配管内の流体と下方空間部内の水との熱交換を行うことができる。よって、従来技術（デッキの上面にエアドームを設けた技術）に比べて、下方空間部内の水を利用して上方空間部の冷却又は加温を行うことができ、浮体構造物の空調の省エネルギー化を図ることが可能となる。
【００７０】
付記２に記載の浮体構造物によれば、下方側配管の剛性と上方側配管の剛性とを、略同一としたので、下方側配管の剛性が上方側配管の剛性よりも小さい場合に比べて、下方側配管が上方側配管に生じた応力を確実に負荷することができ、浮体構造物の構造安定性を高めやすくなる。また、下方側配管の剛性と上方側配管の剛性とが異なる場合に比べて、循環配管を製造しやすくなることから、循環配管の製造性を高めることができる。
【００７１】
付記３に記載の浮体構造物によれば、浮体部と循環配管とを、ピン接合構造により接続したので、循環配管と浮体部とを剛接合構造により接続する場合に比べて、浮体部又は循環配管に加わる応力負荷を軽減でき、浮体構造物の構造安定性を高めやすくなる。
【符号の説明】
【００７２】
１  浮体構造物
２  上方空間部
３  下方空間部
１０  浮体部
１１  上側床部
１２  下側床部
１３  補強リブ部
２０  屋根部
２１  屋根カバー部
３０、３０ａ、３０ｂ  循環配管
４０  循環配管本体
４１  上方側配管
４２  下方側配管
５０  送出部
Ｆ  流体
ＳＴ  支持対象
Ｗ  水面
１００  浮体構造物
２００  浮体構造物
【図１】
2020168919.tif 000003
【図２】
2020168919.tif 000004
【図３】
2020168919.tif 000005
【図４】
2020168919.tif 000006
【図５】
2020168919.tif 000007
【図６】
2020168919.tif 000008